(57)【要約】【課題】映像情報の表示中に着信を検知した場合において、映像情報の視聴を阻害することなく着信通知を行うことができ、かつ通話により中断された映像情報を後で改めて視聴することが可能な通信端末を提供する。【解決手段】メインディスプレイにおいて映像情報を表示中に着信が発生した場合に、メインディスプレイに着信の表示を行わない。着信の表示は、メインディスプレイよりも小型で解像度の低いサブディスプレイで行い、メインディスプレイには映像情報の表示を継続して行う。また、メインディスプレイで表示されている映像情報の録画指示を、電子メールを用いて外部装置へ送信する。メールを受信した外部装置は、その指示内容に従って録画処理を行う。このため、着信による通話のため視聴が中断された映像を、後で外部装置を用いて改めて視聴することが可能である。【選択図】図１
2007295485.tif 000002
【特許請求の範囲】
【請求項１】
通信網に接続して通信を行う通信手段と、
情報の表示を行う主表示手段と、
前記主表示手段よりも低い解像度の情報を表示する副表示手段と、
を備えた通信端末であって、
前記主表示手段を用いた映像情報の表示中に前記通信手段を用いて通信リクエストを検知した場合において、前記副表示手段を用いて前記通信リクエストの通知を行う着信通知部と、
前記主表示手段を用いた映像情報の表示中に前記通信手段を用いて通信リクエストを検知した場合において、前記主表示手段を用いて前記映像情報の表示を継続して行う継続表示部と、
を備えたことを特徴とする通信端末。
【請求項２】
前記通信手段を用いて電子メールを外部装置に送信するメール送信部と、
前記主表示手段を用いた映像情報の表示中に前記通信手段を用いて通信リクエストを検知した場合において、表示中の前記映像情報の録画指示を含む電子メールを前記メール送信部により外部装置へ送信する録画指示メール送信部と、
を備えたことを特徴とする請求項１に記載の通信端末。
【請求項３】
前記主表示手段を用いた映像情報の表示中に前記通信手段による着信を検知した場合において、表示中の前記映像情報が外部装置を用いて記録可能であるかを判断する録画状況判断部を備え、
前記録画状況判断部による判断の結果、記録可能であると判断された場合に前記録画指示メール送信部により前記録画指示メールを前記外部装置に送信すること、
を特徴とする請求項２に記載の通信端末。
【請求項４】
アンテナおよびチューナーを用いてテレビ放送を受信するテレビ放送受信部と、
前記テレビ放送受信部によって受信した前記テレビ放送を前記主表示手段を用いて表示するテレビ放送表示部と、
を備えたことを特徴とする請求項１〜請求項３のいずれかに記載の通信端末。
【請求項５】
前記通信手段を用いてストリーミング放送を受信するストリーミング放送受信部と、
前記ストリーミング放送受信部を用いて受信した前記ストリーミング放送を前記主表示手段を用いて表示するストリーミング放送表示部と、
を備えたことを特徴とする請求項１〜請求項４のいずれかに記載の通信端末。
【請求項６】
映像情報を記憶装置に記憶する記憶部と、
前記記憶部により記憶された前記映像情報を前記主表示手段を用いて表示する再生部と、
を備えたことを特徴とする請求項１〜請求項５のいずれかに記載の通信端末。
【発明の詳細な説明】
【技術分野】
【０００１】
本発明は、テレビ放送等の映像情報の表示が可能な通信端末に関するものであり、特に映像表示中に着信を検知した場合の着信通知方法に関する。
【背景技術】
【０００２】
近年、映像情報の表示を可能とした携帯電話（通信端末）が広く普及している。例えば、テレビ放送を受信することが可能な携帯電話が知られている。これによれば、ユーザーはテレビ放送の電波を受信できる環境において、どこでも気軽にテレビ放送を視聴することが可能である。また例えば、受信したテレビ放送を内部の記憶装置に記憶することが可能な携帯電話が知られている。これによれば、ユーザーはいつでも好きな時に録画したテレビ放送の視聴を行うことが可能である。
【０００３】
なお、記憶および再生する映像情報としてはテレビ放送以外に、デジタル通信網を介して受信したストリーミング放送や、携帯電話に備えられている小型カメラにより撮影された映像情報などを用いることが可能である。
【０００４】
上記のような映像情報を表示可能な携帯電話においては、映像情報の表示中に通信リクエストの着信を検知した場合、映像情報の表示を中断して、着信通知を行うのが一般的である。あるいは逆に、テレビ放送の視聴を優先して、着信を受け付けないようにすることも可能である。この場合、例えば留守番電話機能を用いて、着信側が通話不能状態であることを通話相手に伝える機能を備えた携帯電話が知られている。
【０００５】
上記に関連する技術として特許文献１においては、テレビ放送の視聴中に着信を検知した際に、通信相手或いは視聴中番組等の優先度に応じて着信を通知するかどうかを決定することを可能とした携帯電話が開示されている。また特許文献１の携帯電話は、着信を通知しなかった場合において、通信相手に対し番組の終了時刻を通知することを特徴としている。
【０００６】
特許文献１の携帯電話は、映像を再生する映像再生手段と、通信を行う通信手段と、映像再生と着信報知のいずれを優先するかを決定する着信報知条件を記憶する記憶手段と、前記着信報知条件を設定する設定手段とを有している。映像再生手段を用いた映像の再生中に着信を検知した場合に、前記の着信報知条件に従い、着信報知を行うかどうかの決定を行う。以上のように特許文献１の携帯電話によれば、ユーザーにとって利便性の高い着信通知機能を備えた通信電話を提供することが可能である。
【特許文献１】特開２００５−１４２９７８号公報
【発明の開示】
【発明が解決しようとする課題】
【０００７】
しかしながら上記特許文献１に代表される従来の携帯電話においては、映像視聴中に着信通知を行うかどうかの選択を行うことはできても、その両方（映像の視聴と着信の通知）を互いに衝突することなく、両立させて実現することはできなかった。そのためユーザーは、映像の視聴を優先するか、あるいは着信通知を優先するかの選択を行う必要があった。このため、もし着信を優先して通話を行った場合、視聴中であったテレビ放送等を二度と視聴することが出来ないという問題があった。
【０００８】
本発明は上記の問題を解決するためになされたものであり、その目的は、テレビ放送等の映像情報の表示を行うことが可能な通信端末（携帯電話）であって、映像情報の表示中に着信を検知した場合において、映像情報の視聴を阻害することなく着信通知を行うことができ、かつ通話により中断された映像情報を後で改めて視聴することが可能な通信端末を提供することにある。
【課題を解決するための手段】
【０００９】
上記目的を達成するために本発明の通信端末は、通信網に接続して通信を行う通信手段と、情報の表示を行う主表示手段と、前記主表示手段よりも低い解像度の情報を表示する副表示手段とを備えた通信端末であって、前記主表示手段を用いた映像情報の表示中に前記通信手段を用いて通信リクエストを検知した場合において、前記副表示手段を用いて前記通信リクエストの通知を行う着信通知部と、前記主表示手段を用いた映像情報の表示中に前記通信手段を用いて通信リクエストを検知した場合において、前記主表示手段を用いて前記映像情報の表示を継続して行う継続表示部とを備えたことを特徴としている。
【００１０】
この構成によると、メインディスプレイ（主表示手段）において映像情報（例えばテレビ放送）を表示中に着信が発生した場合に、メインディスプレイに着信の表示を行わない。着信の表示は、メインディスプレイよりも小型で解像度の低いサブディスプレイ（副表示手段）で行い、メインディスプレイには映像情報の表示を継続して行う。このため、着信の通知と映像情報の表示とを、互いに阻害することなく同時に実行することが可能である。
【００１１】
また本発明の通信端末は、前記通信手段を用いて電子メールを外部装置に送信するメール送信部と、前記主表示手段を用いた映像情報の表示中に前記通信手段を用いて通信リクエストを検知した場合において、表示中の前記映像情報の録画指示を含む電子メールを前記メール送信部により外部装置へ送信する録画指示メール送信部とを備えたことを特徴としている。
【００１２】
この構成によると、メインディスプレイにおいて映像情報を表示中に着信が発生した場合に、メインディスプレイで表示されている映像情報の録画指示を、電子メールを用いて外部装置（例えばインターネットに接続されたハードディスクレコーダ）へ送信する。メールを受信した外部装置は、その指示内容に従って録画処理を行う。このため、着信による通話のため視聴が中断された映像を、後で外部装置を用いて改めて視聴することが可能である。
【００１３】
また本発明の通信端末は、前記主表示手段を用いた映像情報の表示中に前記通信手段による着信を検知した場合において、表示中の前記映像情報が外部装置を用いて記録可能であるかを判断する録画状況判断部を備え、前記録画状況判断部による判断の結果、記録可能であると判断された場合に前記録画指示メール送信部により前記録画指示メールを前記外部装置に送信することを特徴としている。
【００１４】
この構成によると、メインディスプレイ（主表示手段）において映像情報（例えばテレビ放送）を表示中に着信が発生した場合に、メインディスプレイで表示されている映像情報を外部装置で録画できるかどうかの判断を行う。録画可能である場合、録画指示を電子メールを用いて外部装置へ送信する。録画不可能である場合はメールを送信しない。このため、不要なメールを外部装置へ対して送信することを防止できる。
【００１５】
また本発明の通信端末は、アンテナおよびチューナーを用いてテレビ放送を受信するテレビ放送受信部と、前記テレビ放送受信部によって受信した前記テレビ放送を前記主表示手段を用いて表示するテレビ放送表示部とを備えたことを特徴としている。
【００１６】
この構成によると、メインディスプレイを用いてテレビ放送を表示することが可能である。従ってユーザーがテレビ放送を視聴中に着信を受けても、視聴しているテレビ放送を継続して視聴したり、外部装置を用いて視聴中のテレビ放送を録画することが可能である。
【００１７】
また本発明の通信端末は、前記通信手段を用いてストリーミング放送を受信するストリーミング放送受信部と、前記ストリーミング放送受信部を用いて受信した前記ストリーミング放送を前記主表示手段を用いて表示するストリーミング放送表示部とを備えたことを特徴としている。
【００１８】
この構成によると、インターネット等で配信されているストリーミング放送をメインディスプレイを用いて表示することが可能である。従ってユーザーがストリーミング放送を視聴中に着信を受けても、視聴しているストリーミング放送を継続して視聴したり、外部装置を用いて視聴中のストリーミング放送を録画することが可能である。
【００１９】
また本発明の通信端末は、映像情報を記憶装置に記憶する記憶部と、前記記憶部により記憶された前記映像情報を前記主表示手段を用いて表示する再生部とを備えたことを特徴としている。
【００２０】
この構成によると、受信したテレビ放送等を、メモリやマイクロドライブ等の記憶装置に記憶（録画）することが可能である。従ってユーザー録画映像を再生中に着信を受けても、再生している録画映像を継続して視聴したり、外部装置を用いて再生中の録画放送を録画することが可能である。
【発明の効果】
【００２１】
本発明によると、映像情報の表示を行っている時に着信があった場合に、着信相手の電話番号を表示したり、音声（着信メロディ等）を出力するなどにより、ユーザーの視聴の妨げ（目障り感、耳障り感）を防止することができる。従ってユーザーは、着信時においても快適な映像の視聴を継続して行うことができる。また、サブディスプレイを使用して着信の通知の通知を行うため、通話ができる状態でありながら着信に気づかず、通話の機会を逃すといった弊害を防止することができる。
【００２２】
また本発明によると、映像情報の表示を行っている時に着信があった場合に、特定の録画装置（ネットワークに接続された端末）に対し、受信中の映像の録画を行うように指示するメールを送信する。これによりユーザーは、着信に対する応答を行うため映像視聴の中断を行ったしたとしても、後で録画装置に録画された映像を視聴することが可能である。これにより、着信が発生したことによる映像の見逃しを防止することが可能である。
【００２３】
また本発明によると、映像情報の表示を行っている時に着信があった場合に、特定の録画装置が再生中の映像情報を録画できるか判断し、録画できる場合のみ録画指示メールを送信する。これにより、外部装置において該当映像が録画不可能である場合は録画指示メールを送信しないため、無駄な通信コストの発生を防止することが可能である。
【００２４】
また本発明によると、テレビ放送の受信中に着信があった場合に、特定の録画装置に対し、受信中の映像の録画を行うように指示するメールを送信する。これにより、着信が発生したことによるテレビ放送の見逃しを防止することが可能である。
【００２５】
また本発明によると、インターネット等において配信されるストリーミング放送の受信中に着信があった場合に、特定の録画装置に対し、受信中のストリーミング放送の録画を行うように指示するメールを送信する。これにより、着信が発生したことによるストリーミング放送の見逃しを防止することが可能である。
【００２６】
また本発明によると、携帯電話内部に記憶されている映像情報の再生中に着信があった場合に、特定の録画装置に対し、再生中の録画映像の録画を行うように指示するメールを送信する。これにより、着信が発生したことにより中断された録画映像の視聴を、後で外部装置を用いて視聴することが可能である。
【発明を実施するための最良の形態】
【００２７】
以下に、本発明の第一の実施形態における携帯電話の着信通知処理について、図面を参照しつつ説明する。
【００２８】
［実施の形態１］
【００２９】
〈１−１．携帯電話の電気回路の要部構成について〉
ここで、本発明の第一の実施形態における携帯電話１０の電気回路の要部構成について、図２のブロック図を用いながら説明する。
【００３０】
図２のブロック図に示すように、本発明の携帯電話１０は、少なくとも、制御部１１、記憶装置１２、音声入力部１３、操作ボタン群１４、メイン表示部１５、サブ表示部１６、ネットワーク通信部１７、およびテレビ放送受信部１８を含むように構成されている。
【００３１】
制御部１１は、携帯電話１０の各部材の駆動を有機的に制御して、無線通信処理を統括制御するものである。また制御部１１は、各装置（例えば記憶装置１２）の制御や、データの計算、加工処理等を行なう中枢部分となっている。
【００３２】
記憶装置１２（記憶装置）は、携帯電話１０の各種データを記録するための媒体である。記憶装置１２には、例えば、携帯電話１０に関する管理情報（電話番号、機体番号など）や、ブラウザやメーラ等のアプリケーションが記憶されている。なお、記憶装置１２として使用される記憶媒体としては、例えば通信端末に内蔵されたメモリ、或いは取り外し可能なメモリカード等の外部メモリ等が使用可能である。
【００３３】
音声入力部１３は、ユーザーにより発せられた音声を信号に変換するマイク等の音声入力装置であり、小型マイク等が用いられる。ユーザーは携帯電話１０を用いて通話を行う際に、音声入力部１３により音声の入力を行う。音声入力部１３を用いて入力された音声は、後述するネットワーク通信部１７により通信相手に対して送信される。
【００３４】
操作ボタン群１４は、ユーザーが音声通信もしくはデータ通信等を行う際に、各種指示を携帯電話１０に対して行なうための入力インタフェースである。例えば、通話相手の電話番号の入力や、テレビ放送の受信指示等の入力に使用される。
【００３５】
メイン表示部１５（主表示手段）は、ユーザーに対して携帯電話１０が記憶している各種情報や受信したテレビ放送やストリーミング放送を表示するための出力インタフェースである。メイン表示部１５は液晶パネル等により構成されており、映像情報や文字情報の表示が可能である。後述するテレビ放送受信部１８を用いて受信されたテレビ放送や、ネットワーク通信部１７を用いて受信されたストリーミング放送は、このメイン表示部１５を用いて表示される（テレビ放送表示部、ストリーミング放送表示部）。
【００３６】
サブ表示部１６（副表示手段）は、ＬＥＤ等を用いた小型の表示画面である。サブ表示部１６はメイン表示部と比較して小さく、また表示機能（解像度、発色数等）が劣るため、映像情報のような高画質のデータを表示することはできない。このため主に、メイン表示部１５において出力される情報の補助情報（例えばテレビ放送が表示されている場合は、その放送のタイトル等）や文字情報（現在時刻等）を表示するための補助的な画面として用いられる。
【００３７】
ネットワーク通信部１７（通信手段）は、携帯電話１０と外部装置（例えば無線基地局）とが、通信規格（例えばＷ−ＣＤＭＡ）にのっとって通信を行うための入出力インタフェースである。ネットワーク通信部１７は、無線或いは有線の通信回線と接続して、音声通信を行ったり、電子メール等のデジタルデータの送受信を行うことが可能である（メール送信部）。また、デジタルデータによるストリーミング映像の受信を行うことも可能である（ストリーミング放送受信部）。また、送受信するデータの変調、および復調を行なうための変調手段、および復調手段を備えている。
【００３８】
テレビ放送受信部１８は、アナログ放送、或いはデジタル放送等に用いられるＴＶ信号を無線通信により受信する入力インタフェースである（放送受信部）。またテレビ放送受信部１８は、受信したＴＶ信号を復調する復調手段を備えている。復調されたデータは、制御部１１で処理された後、メイン表示部１５により表示される。
【００３９】
〈１−２．ネットワーク構成要素について〉
ここで、本発明の携帯電話が接続されるネットワークの構成要素について、図３のブロック図を用いながら説明する。
【００４０】
図３のブロック図に示すように、本発明の携帯電話に接続されるネットワークは少なくとも、携帯電話通信網１、家庭内ＬＡＮ（Local Area Network）２、広域通信網３、携帯電話１０、ブロードバンドルータ２１、ハードディスクレコーダ２２、移動通信交換機６１、基地局６２、ネットワークサーバ６３、およびテレビ放送局６４を含むように構成されている。
【００４１】
携帯電話通信網１は、携帯電話１０が他の携帯電話と通信を行うための通信網であり、少なくとも携帯電話１０、移動通信交換機６１、基地局６２を含むように構成されている。なお、携帯電話通信網１はネットワークサーバ６３を経由して後述する広域通信網３と接続することが可能である。
【００４２】
携帯電話１０は、携帯電話通信網１を使用した無線通信端末であり、端末間での相互通信が可能となっている。また、広域通信網３を経由した通信を行うことも可能である。また、後述するテレビ放送局６４より受信した電波をもとに、映像情報（テレビ放送）の表示を行うことが可能である。
【００４３】
移動通信交換機６１は、携帯電話１０と他通信装置との通信を制御する回線交換機である。移動通信交換機６１は、後述する基地局６２を経由して受信した携帯電話１０からの通信要求をもとに、通信相手先を携帯電話通信網１内から検索し、通信相手先に最も近い基地局６２を確定する。そして最も近い基地局６２を経由して、携帯電話１０と通信相手先との通信回線を確立する役割を持つ。
【００４４】
基地局６２は、携帯電話１０と移動通信交換機６１との通信を中継するための中継機である。携帯電話１０と基地局６２との間の通信は、例えばＷ−ＣＤＭＡなどの無線通信方式によって行われる。基地局６２は、携帯電話通信網１内に複数存在する。携帯電話１０が移動通信交換機６１と通信を行う場合、携帯電話１０に最も近い基地局６２が選択的に使用される。
【００４５】
ネットワークサーバ６３は、ある特定のネットワーク（例えば携帯電話通信網１）と広域通信網３とを接続し、相互間での通信を可能とする装置である。ネットワークサーバ６３は通常、ネットワーク業者が保持および管理を行っている。
【００４６】
テレビ放送局６４は、ある特定の周波数を用いて映像情報を放送するための施設である。テレビ放送局は６４は、アナログ放送（ＶＨＦ等）やデジタル放送（地上デジタル放送の１セグ放送等）の放送を行うことが可能である。テレビ放送局６４より発信された電波はアンテナ装置を用いて受信された後、テレビ装置に内蔵されるチューナーにより変調・復調が行われ、映像情報として表示される。
【００４７】
家庭内ＬＡＮ２は、ブロードバンドルータ２１およびハードディスクレコーダ２２などが接続された家庭用のローカルネットワークである。家庭内ＬＡＮ２にはハードディスクレコーダ２２以外にも、各種情報処理装置（例えばパソコンやＩＰ電話等）を接続することが可能である。前記各装置は家庭内ＬＡＮ２に接続されることにより、相互に通信が可能となっている。なお、家庭内ＬＡＮ２を構成する装置間を接続する物理的な手段としては、例えばＬＡＮケーブルや無線ＬＡＮなどがあげられる。
【００４８】
ブロードバンドルータ２１は、家庭内ＬＡＮ２と外部ネットワークとの通信を中継する中継装置である。ブロードバンドルータ２０は、後述するネットワークサーバ６３を通じて、広域通信網３に接続することが可能である。これにより、家庭内ＬＡＮ２を広域通信網３に接続することが可能となる。
【００４９】
ハードディスクレコーダ２２は、テレビ放送等の映像情報の録画再生を行うための映像処理装置である。ハードディスクレコーダ２２は、家庭内ＬＡＮ２に接続されることにより、外部装置との相互通信が可能となっている。また、接続された外部装置（例えばパソコン等）より電子メールを受け付け、電子メールに含まれる指示（テレビ番組の録画指示等）をもとに録画処理を行うことが可能である。また、家庭内ＬＡＮ２が広域通信網３に接続されている場合、ハードディスクレコーダ２２は家庭内ＬＡＮ２を経由して広域通信網３に接続されることも可能である。これにより、携帯電話１０との通信が可能となる。
【００５０】
広域通信網３は、公衆回線等を使用した通信網であり、ネットワークサーバ６３などを経由して、他ネットワークと相互に通信を行なうことが可能である。このため例えば、家庭内ＬＡＮ２のハードディスクレコーダ２２と携帯電話通信網１の携帯電話１０とが、広域通信網３を経由して相互に通信を行うことも可能である。
【００５１】
〈１−３．映像表示中の着信通知方法について〉
ここで、本発明の携帯電話１０における映像表示中の着信通知方法について、図１のフローチャートと、図２および図３のブロック図とを用いて説明する。
【００５２】
図１に示すように本処理は、携帯電話１０の制御部１１がネットワーク通信部１７による通信リクエストの着信を検知することにより開始される（ステップＳ１１０）。着信を検知していない場合は、検知するまで継続的に監視を行う。通信リクエストとしては、例えば音声通信の通話開始要求や、電子メールの着信などがあげられる。なお通信リクエストは、無線通信網１等を通じて携帯電話１０と接続可能な外部装置によって発信される。
【００５３】
通信リクエストの着信を検知した制御部１１は、現在メイン表示部１５を用いて映像情報の表示が行われているかどうかの確認を行う（ステップＳ１２０）。なお、表示中の映像情報としては、例えばテレビ受信部１８を用いて受信したテレビ放送、或いはネットワーク通信部１７を用いて受信しているデータストリーミング放送など、いかなる映像情報であっても構わない。
【００５４】
ステップＳ１２０において、メイン表示部１５を用いた映像情報の表示が行われていないと判断された場合、制御部１１はメイン表示部１５を用いて着信があったことを告げるメッセージを表示する。また同時に、メイン表示部１５の点滅等を行ってもよい。メッセージを表示した後、制御部１１は本処理を終了する（ステップＳ１２５）。
【００５５】
逆にステップＳ１２０において、メイン表示部１５を用いた映像情報の表示が行われていると判断された場合、制御部１１はサブ表示部１６上に、着信があったことを告げるメッセージを表示する。あわせて制御部１１は、メイン表示部１５を用いた映像情報の表示を継続して行う（ステップＳ１３０）。従ってステップＳ１３０は、サブ表示部１６を用いて着信の通知を行う着信通知部と、メイン表示部１５を用いて映像情報を中断することなく表示する継続表示部とを構成する。なおこの際、着信通知音の出力を行うかどうかを、ユーザーがあらかじめ選択して設定できることがより望ましい。
【００５６】
次に制御部１１は、ユーザーが携帯電話１０に対して、録画指示メールの送信設定を行っているかどうかの確認を行う（ステップＳ１４０）。録画指示メールとは、携帯電話１０が着信を受け付け、かつ着信時に映像情報の表示を行っている場合において、外部装置（例えば図３に示すハードディスクレコーダ２２）に対して発信されるメールである。録画指示メールの内部には、ハードディスクレコーダ２２のアドレス情報や、録画する番組の名称、或いは番組コード等が含まれている。このメールをハードディスクレコーダ２２が受信することにより、指示された映像情報の録画が行われる。
【００５７】
ステップＳ１４０において、録画指示メールの送信設定が行われていないと判断された場合、録画指示メールの送信処理は行わなず、本処理を終了する。
【００５８】
逆にステップＳ１４０において、録画指示メールの送信設定が行われていると判断された場合、制御部１１はネットワーク通信部１７を用いて、通信網に接続されているハードディスクレコーダ２２等に対して録画指示メールを送信する（ステップＳ１５０）。従ってステップＳ１５０は、ネットワーク通信部１７を用いて録画指示メールを送信する録画指示メール送信部を構成する。
【００５９】
録画指示メールを受信したハードディスクレコーダ２２は、受信メールの内容に従い、指定された番組（携帯電話１０で表示中であった映像情報）の録画を行う。なお、指示された番組がハードディスクレコーダ２２において録画不可能である（例えば携帯電話１０でのみ受信できるテレビ放送である）場合は、携帯電話１０に対して録画不可を通知するメッセージを返信してもよい。
【００６０】
次に、本発明の第二の実施形態における携帯電話の着信通知方法について、図面を参照しつつ説明する。
【００６１】
［実施の形態２］
【００６２】
〈２−１．携帯電話の電気回路の要部構成について〉
実施の携帯１と同内容であるため、ここでは説明を省略する。
【００６３】
〈２−２．ネットワーク構成要素について〉
実施の形態１と同内容であるため、ここでは説明を省略する。
【００６４】
〈２−３．映像表示中の着信通知方法について〉
ここで、本発明の携帯電話１０における映像表示中の着信通知方法について、図４のフローチャートと、図２および図３のブロック図とを用いて説明する。なお、実施の形態１と同内容の処理については、図１と同じ処理番号を付加することにより、説明を省略するものとする。
【００６５】
ステップＳ１１０については、実施の形態１と同内容であるため、説明を省略する。ステップＳ１１０において通信リクエストの着信を検知した制御部１１は、現在メイン表示部１５を用いて、記憶装置１２に記憶されている映像情報の再生処理（再生部）が行われているかの確認を行う（ステップＳ１２０ａ）。なお、記憶されている映像情報としては、例えばテレビ受信部１８を用いて受信したテレビ放送や、或いはネットワーク通信部１７を用いて受信してたデータストリーミング放送等を録画した録画映像などがあげられる。
【００６６】
ステップＳ１２０ａにおいて、メイン表示部１５を用いた録画映像の再生が行われていないと判断された場合、ステップＳ１２５の処理を行い、本処理を修了する。逆にステップＳ１２０ａにおいて、メイン表示部１５を用いた録画映像の表示が行われていると判断された場合、ステップＳ１３０を実施する。
【００６７】
ステップＳ１３０の実施後、制御部１１はユーザーに対して録画指示メールの送信を行うかどうかの選択を要求するメッセージを表示し、ユーザーからの指示を受け付ける状態に移行する（ステップＳ１４０ａ）。なおユーザーからの指示は、例えばユーザーが操作ボタン群１４を用いたキー操作を行うこと等により入力される。また、このメッセージはメイン表示部１５、或いはサブ表示部１６のどちらに表示しても構わない。
【００６８】
ステップＳ１４０ａにおいて録画指示メールの送信指示が入力されなかった場合、録画指示メールの送信を行わず本処理を修了する。逆にステップＳ１４０ａにおいて録画指示メールの送信指示が入力された場合、制御部１１は再生中であった録画映像が外部のハードディスクレコーダ２２を用いて録画可能であるかどうかの判断を行う（ステップＳ１４５）。従ってステップＳ１４５は、メイン表示部１５により表示している映像をハードディスクレコーダ２２で録画可能かどうかを判断する録画状況判断部を構成する。
【００６９】
上記判断を行う方法としては、例えば記憶装置１２に記憶されている番組表情報を用いる。番組表情報は、現在放送中、あるいはこれから放送予定の番組のスケジュールを放送局単位で記憶したテーブル情報である。なお番組表情報は、ネットワーク通信部１７と携帯電話通信網１とを用いて外部装置より適宜取得してもよい。
【００７０】
制御部１１は再生が中断された映像情報のヘッダ等に含まれる付加情報（例えば番組名、放送局、録画日時等）を取得する。そして取得した付加情報と番組表情報を照らし合わせることにより、再生中であった映像情報がハードディスクレコーダ２２において録画可能であるかどうかを判断する。
【００７１】
ステップＳ１４５において、ハードディスクレコーダ２２による録画が不可能であると判断された場合、或いは映像情報の付加情報の取得に失敗した場合、録画指示メールの送信処理は行わなず、本処理を終了する。
【００７２】
逆にステップＳ１４５において、ハードディスクレコーダ２２による録画が可能と判断された場合、ステップＳ１５０を実施して本処理を終了する。
【００７３】
［その他の実施の形態］
以上、好ましい実施の形態及び実施例をあげて本発明を説明したが、本発明は必ずしも上記実施の形態及び実施例に限定されるものではなく、その技術的思想の範囲内において様々に変形して実施することができる。
【００７４】
例えば、前述した実施形態の機能を実現するソフトウェアのプログラムコードを記録した記憶媒体を、携帯電話以外の、映像表示機能を備えた通信端末に実装し、記憶媒体に格納されたプログラムコードを読出し実行することによっても、達成されることは言うまでもない。
【００７５】
この場合、記憶媒体から読出されたプログラムコード自体が、前述した実施形態の機能を実現することになり、そのプログラムコードを記憶した記憶媒体および記憶媒体を実装した通信端末は本発明を構成することになる。
【００７６】
なお、プログラムコードを供給するための記憶媒体としては、例えば、フロッピディスク、ハードディスク、光ディスク、光磁気ディスク、磁気テープ、不揮発性のメモリカードなどを用いることができる。
【００７７】
また、携帯電話以外の映像表示機能を備えた通信端末としては、例えばＰＨＳ、ＰＤＡ、ノートＰＣ、ハンドヘルドＰＣ、通信機能付きテレビ、カーナビなどを用いることができる。
【００７８】
また、前述した実施の形態において表示する映像情報として、テレビ放送以外の映像情報が使用されたとしても、本発明の目的が達成されることは言うまでもない。なお、表示される映像情報としては、例えばあらかじめ記憶部に記憶されている録画映像や、ネットワーク通信部を用いてダウンロードされるストリーミング映像などを用いることができる。また、テレビ放送を表示する場合において、放送の種別がデジタル放送、或いはアナログ放送のいずれであっても同様の効果が得られることは言うまでもない。
【００７９】
また、前述した実施の形態において、音声通話の着信通知以外の通知が発生した場合において本発明の通知処理が行われてとしても、本発明の目的が達成されることは言うまでもない。なお、発生する通知としては、例えばメール着信通知、ショートメッセージ着信通知、時計アラーム、ダウンロード完了通知などが考えられる。
【００８０】
また、前述した実施の形態において、音声通話の着信が発生した場合に外部装置に対して録画処理メールを送信しているが、あわせて携帯電話に内蔵されている記憶装置に現在視聴中の映像の録画を行ってもよい。
【００８１】
また、前述した実施の形態１において、録画指示メールを送信するかどうかを、ハードディスクレコーダ２２の受信機能によって判断してもよい。例えばアンテナの差異により、携帯電話１０とハードディスクレコーダ２２とで受信できる放送の種類が違う場合がある。この場合、あらかじめ記憶部にハードディスクレコーダ２２で受信できる放送の情報（例えば受信可能な放送局名等）を記憶させておく。そして通信リクエストの着信を制御部１１が検知した際にこの情報を参照し、ハードディスクレコーダ２２において録画不可能であると判断された番組については、録画指示メールを送信しないようにすることも可能である。
【図面の簡単な説明】
【００８２】
【図１】本発明の第一の実施形態における携帯電話の着信通知方法の処理フロー図である。
【図２】本発明の第一の実施形態における携帯電話の電気回路の要部構成を示したブロック図である。
【図３】本発明の携帯電話が接続されるネットワークの構成要素を示したブロック図である。
【図４】本発明の第二の実施形態における携帯電話の着信通知方法の処理フロー図である。
【符号の説明】
【００８３】
１      携帯電話通信網（通信網）
２      家庭内ＬＡＮ（通信網）
３      広域通信網（通信網）
１０    携帯電話（通信端末）
１１    制御部
１２    記憶装置
１４    操作ボタン群
１５    メイン表示部（主表示手段）
１６    サブ表示部（副表示手段）
１７    ネットワーク通信部（通信手段）
１８    テレビ放送受信部
【図１】
2007295485.tif 000003
【図２】
2007295485.tif 000004
【図３】
2007295485.tif 000005
【図４】
2007295485.tif 000006